(57)【特許請求の範囲】
【請求項１】
直部と該直部より大径の節部とが軸方向に交互に配置された型枠本体と、該型枠本体に外挿された外胴部とを備え、前記型枠本体及び前記外胴部を軸方向に沿って断面円弧状の上下型に分割し、該上下型を締結具を用いて締結することにより、筒状の型枠を構成するコンクリート杭の遠心鋳造用型枠であって、
前記上下型の型枠本体の分割部分と外胴部の分割部分との間を覆うカバー部を前記型枠本体にのみ固定し、
前記外胴部の分割部分の周方向縁部に、径方向に延在するねじ穴を形成し、
前記型枠本体の前記分割部分の周方向縁部に、前記外胴部の前記ねじ穴に対応して径方向に延在するねじ穴を形成し、
前記型枠本体の前記ねじ穴及び前記外胴部の前記ねじ穴に取付用ボルトを螺合して前記外胴部を前記型枠本体に取り付けた際には、前記外胴部が節付きコンクリート杭の型枠となり、
前記外胴部から前記型枠本体を取り外し、前記外胴部の前記ねじ穴に閉塞用ボルトを螺合して前記ねじ穴を閉塞した際には、前記外胴部がストレートコンクリート杭の型枠となることを特徴とするコンクリート杭の遠心鋳造用型枠。
【請求項２】
軸方向の長さが前記外胴部より短く、且つ、断面構造が前記型枠本体と同一の結合用型枠本体ブロックを複数用意し、所定数の前記結合用型枠本体ブロックの端部同士を着脱自在に結合することにより、必要な長さの前記型枠本体を構成することを特徴とする請求項１記載のコンクリート杭の遠心鋳造用型枠。
【請求項３】
前記外胴部として、既製のストレートコンクリート杭の型枠を用いることを特徴とする請求項１又は２記載のコンクリート杭の遠心鋳造用型枠。
【発明の詳細な説明】
【０００１】
【発明の属する技術分野】
本発明は、コンクリート杭の遠心鋳造用型枠に関する。
【０００２】
【従来の技術】
図１０〜図１２は節付きコンクリート杭の遠心鋳造用型枠を示したものであり、この型枠ａは直部ｂと該直部ｂより大径の節部ｃとが軸方向に交互に配置された型枠本体ｄを備える。
型枠本体ｄには外胴部ｅが外挿されており、型枠本体ｄ及び外胴部ｅは軸方向に沿って上下に分割されて半筒状の上下型ｆ，ｇとされている。
【０００３】
上下型ｆ，ｇの外胴部ｅの分割位置には締結用アングルｈが外胴部ｅから外側に張り出して軸方向に沿って取り付けられており、上下型ｆ，ｇの締結用アングルｈ同士を例えば図示しない締結ボルトを用いて締結することにより、筒状の型枠ａを構成するようになっている。
上下型ｆ，ｇは型枠本体ｄの直部ｂの分割部分と外胴部ｅの分割部分との間がカバー部ｉによって覆われており、また、節部ｃと外胴部ｅとの間にはライナーｊが介在されている。
【０００４】
下型ｇのカバー部ｉ及び下型ｇのライナーｊの縁部には型枠本体ｄの分割部分をシールするパッキンｋが取り付けられており、下型ｇのカバー部ｉには上下型ｆ，ｇの合わせ面を調整するスペーサｍが取り付けられている。
更に、型枠ａの外胴部ｅには、締結用アングルｈより大径のタイヤｐが軸方向に所定の間隔で外嵌されている。
【０００５】
そして、節付きコンクリート杭の成形手順については、型枠ａ内に籠状鉄筋（図示せず。）を挿入して該鉄筋の鋼棒の両端を型枠ａの両端部に設けられた端蓋（図示せず。）にそれぞれ固定し、次いで、一方の端蓋をジャッキ等で緊張して引っ張り応力を付与し、その反力を型枠ａの端部に支持させ、この状態で型枠ａ内に充填されたコンクリートに対して該型枠ａの外胴部ｅに外嵌されたタイヤｐを遠心機に載置して回転させることにより遠心力を作用させ、かかる回転の終了後、養生を行う。
【０００６】
次いで、型枠ａに付与されている緊張鋼棒の支持反力を解除し、コンクリートにプレストレスを導入して型枠ａから節付きコンクリート杭を取り出す。
【０００７】
【発明が解決しようとする課題】
ところで、上記節付きコンクリート杭の遠心鋳造用型枠ａを構成する外胴部ｅは、タイヤｐを取り付けて型枠ａを回転させるための役割と、型枠ａの補強部材としての役割を果たすが、一方で大径の鋼管であるためコストが高くつき型枠ａの製作コストを低くする妨げになっている。
【０００８】
ここで、本発明者は型枠ａの製作コストを下げることについて鋭意検討を行った結果、最近ではあまり用いられなくなって余り気味であるストレートコンクリート杭の型枠を外胴部ｅとして用いることを見い出し、更に、外胴部ｅに対して型枠本体ｄを着脱自在とすることにより、１つの型枠を節付きコンクリート杭とストレートコンクリート杭の両方に兼用できるという知見を得、かかる知見に基づいて更なる検討を行うことにより本発明を完成するに至った。
【０００９】
本発明はかかる知見に基づいてなされたものであり、１つの型枠を節付きコンクリート杭とストレートコンクリート杭の両方に兼用することができる経済性に優れたコンクリート杭の遠心鋳造用型枠を提供することを目的とする。
【００１０】
【課題を解決するための手段】
かかる目的を達成するために、請求項１に係るコンクリート杭の遠心鋳造用型枠は、直部と該直部より大径の節部とが軸方向に交互に配置された型枠本体と、該型枠本体に外挿された外胴部とを備え、前記型枠本体及び前記外胴部を軸方向に沿って断面円弧状の上下型に分割し、該上下型を締結具を用いて締結することにより、筒状の型枠を構成するコンクリート杭の遠心鋳造用型枠であって、前記上下型の型枠本体の分割部分と外胴部の分割部分との間を覆うカバー部を前記型枠本体にのみ固定し、前記外胴部の分割部分の周方向縁部に、径方向に延在するねじ穴を形成し、前記型枠本体の前記分割部分の周方向縁部に、前記外胴部の前記ねじ穴に対応して径方向に延在するねじ穴を形成し、前記型枠本体の前記ねじ穴及び前記外胴部の前記ねじ穴に取付用ボルトを螺合して前記外胴部を前記型枠本体に取り付けた際には、前記外胴部が節付きコンクリート杭の型枠となり、前記外胴部から前記型枠本体を取り外し、前記外胴部の前記ねじ穴に閉塞用ボルトを螺合して前記ねじ穴を閉塞した際には、前記外胴部がストレートコンクリート杭の型枠となることを特徴とする。
【００１１】
請求項２に係るコンクリート杭の遠心鋳造用型枠は、請求項１において、軸方向の長さが前記外胴部より短く、且つ、断面構造が前記型枠本体と同一の結合用型枠本体ブロックを複数用意し、所定数の前記結合用型枠本体ブロックの端部同士を着脱自在に結合することにより、必要な長さの前記型枠本体を構成することを特徴とする。
【００１２】
請求項３に係るコンクリート杭の遠心鋳造用型枠は、請求項１又は２において、前記外胴部として、既製のストレートコンクリート杭の型枠を用いることを特徴とする。
【００１３】
【発明の実施の形態】
以下、本発明の実施の形態の一例を図を参照して説明する。
図１は本発明の実施の形態の一例であるコンクリート杭の遠心鋳造用型枠を説明するための図、図２は左側に直部を断面を、右側に節部の断面を示した図、図３は型枠本体を取り外した時の外胴部の断面を示す図、図４は型枠本体の下型の合わせ面側から見た図、図５は結合用型枠本体ブロックの一部を破断した図、図６は左側に図５のＢ−Ｂ線断面を、右側に図５のＡ−Ａ線断面を示す図、図７は図５のＣ矢視図、図８は図２のＤ部詳細図、図９は図３のＥ部詳細図である。
【００１４】
図１〜図４に示すように、この遠心鋳造用型枠１は、直部２と該直部２より大径の節部３とが軸方向に交互に配置された型枠本体４と、型枠本体４に外挿された円筒状の外胴部５とを備えており、型枠本体４及び外胴部５は軸方向に沿って上下に分割されて半円筒状の上下型６，７とされている。
上下型６，７の型枠本体４の分割部分と外胴部５の分割部分との間は、軸方向に沿って延びる平板状のカバー部９によって覆われている。カバー部９の幅方向の一側は型枠本体４の軸方向に沿う形状、即ち、直部２及び節部３の外周面に沿う形状とされ、他側は外胴部５の内周面に沿う形状とされて該内周面に当接するようになっている。そして、この実施の形態では、カバー部９の型枠本体４側の側部のみが該型枠本体４に溶接等により固定されている。なお、図２において符号９ａは下型７のカバー部９に取り付けられて分割部分をシールするパッキンである。
【００１５】
型枠本体４の外周部には、図２及び図６に示すように、型枠本体４と外胴部５との間を周方向に補強する周方向リブ１２及び軸方向に補強する軸方向リブ１３がそれぞれ溶接等により取り付けられており、周方向リブ１２及び軸方向リブ１３共に外胴部５の内周面に当接するようになっている。
上下型６，７の外胴部５の分割位置に取り付けられた締結用アングル１４には、図２及び図８に示すように、ボルト挿通穴１５が軸方向に沿って複数カ所形成されており、外胴部５のボルト挿通穴１５に対応する位置には閉塞用のボルトＢ1 （図９参照）が螺合されるねじ穴１６が形成されている。
【００１６】
また、型枠本体４の節部３の外周面の外胴部５のねじ穴１６に対応する位置には座板１７が溶接等により取り付けられており、該座板１７には型枠本体取付用のボルトＢ2 が螺合されるねじ穴１８が同心に形成されている。ねじ穴１８はねじ穴１６より小径になっている。
ここで、この実施の形態では、外胴部５として既製のストレートコンクリート杭の型枠を用い、更に、図４及び図５に示すように、軸方向の長さが外胴部５より短く、且つ、断面構造が型枠本体４と同一で互いに長さの異なる結合用型枠本体ブロック４ａを複数用意し、所定数の結合用型枠本体ブロック４ａを適宜選択して該結合用型枠本体ブロック４ａに溶接等により取り付けられた結合用フランジ１９（図７参照）同士をボルト及びナット（図示せず。）で結合することにより、必要な長さ（この実施の形態では外胴部５と同一長さ）の型枠本体４を構成している。
【００１７】
次に、かかる構成のコンクリート杭の遠心鋳造用型枠１の組み付け手順の一例を説明する。
まず、所定数（図４では３つ）の結合用型枠本体ブロック４ａの結合用フランジ１９同士をボルト及びナットで結合して上下型６，７の型枠本体４をそれぞれ組み立てる。
【００１８】
次いで、上下型６，７の各外胴部５内にそれぞれ型枠本体４を挿入して外胴部５の締結用アングル１４に形成されたボルト挿通穴１５と型枠本体４の座板１７に形成されたねじ穴１８とを一致させ、この状態でボルト挿通穴１５から挿入したボルトＢ2 をねじ穴１８に螺合して外胴部５に型枠本体４を取り付ける。
次いで、上下型６，７の各カバー部９の合わせ面を合わせて上下型６，７の各締結用アングル１４同士をボルト及びナット（図示せず。）を用いて締結することにより、型枠１が構成され、この型枠１は節付きコンクリート杭の遠心鋳造用型枠として用いられる。
【００１９】
また、型枠１の状態から全てのボルトＢ2 を取り外して外胴部５から型枠本体４を引き抜いて取り外し、次いで、図９に示すように、外胴部５に形成されたねじ穴１６にボルトＢ1 を螺合して該ねじ穴１６を閉塞することにより、外胴部５がストレートコンクリート杭の型枠として用いられる。
なお、型枠１を用いた節付きコンクリート杭の成形手順及び外胴部５を用いたストレートコンクリート杭の成形手順については、従来と同様であるのでその説明を省略する。
【００２０】
上記の説明から明らかなように、この実施の形態では、節付きコンクリート杭の型枠１の外胴部５をストレートコンクリート杭の型枠として利用できるようにしているので、１つの型枠１を節付きコンクリート杭とストレートコンクリート杭の両方に兼用することができ、この結果、ストレートコンクリート杭の型枠の有効利用が図られて経済性に優れたものとすることができる。
【００２１】
また、所定数の短尺な結合用型枠本体ブロックの端部同士を着脱自在に結合することにより、必要な長さの型枠本体４を構成するようにしているので、ストレートコンクリート杭のオーダー長さに拘束されることなく節付きコンクリート杭の長さを設定することができ、更には、型枠本体４の長さを外胴部５より短くした場合には、型枠本体４の長さで節付きコンクリート杭を、残りの外胴部５の長さでストレートコンクリート杭を成形することもできる。
【００２２】
更に、外胴部５として既製のストレートコンクリート杭の型枠を用いているので、既製のストレートコンクリート杭用型枠の有効利用が図られると共に型枠１の製作コストの低減を図ることができる。尚、上記実施の形態では、外胴部５に対する型枠本体４の着脱をボルトＢ1 及びボルトＢ2 を用いて行う場合を例に採ったが、型枠本体４の取り外し時に外胴部５の閉塞性が確保できることを条件に、他の公知の固定手段を用いて型枠本体４を外胴部５に着脱自在に取り付けるようにしてもよい。
【００２３】
【発明の効果】
上記の説明から明らかなように、請求項１の発明によれば、型枠本体の分割部分の周方向縁部に形成したねじ穴及びこれに対応する外胴部のねじ穴に取付用ボルトを螺合して外胴部を型枠本体に取り付けると、外胴部が節付きコンクリート杭の型枠となる一方、型枠本体及び外胴部のねじ穴から前記取付け用ボルトを外して外胴部から型枠本体を取り外し、外胴部のねじ穴に閉塞用ボルトを螺合して前記ねじ穴を閉塞すると、前記外胴部がストレートコンクリート杭の型枠となるので、１つの型枠を節付きコンクリート杭とストレートコンクリート杭の両方に兼用することができ、この結果、ストレートコンクリート杭の型枠の有効利用が図られて経済性に優れたものとすることができるという効果が得られる。
【００２４】
請求項２の発明では、請求項１の発明に加えて、所定数の短尺な結合用型枠本体ブロックの端部同士を着脱自在に結合することにより、必要な長さの型枠本体を構成するようにしているので、ストレートコンクリート杭のオーダー長さに拘束されることなく節付きコンクリート杭の長さを設定することができ、更には、型枠本体の長さを外胴部より短くした場合には、型枠本体の長さで節付きコンクリート杭を、残りの外胴部の長さでストレートコンクリート杭を成形することもできるという効果が得られる。
【００２５】
請求項３の発明では、請求項１又は２の発明に加えて、外胴部として既製のストレートコンクリート杭の型枠を用いているので、既製のストレートコンクリート杭用型枠の有効利用が図られるとと共に型枠の製作コストの低減を図ることができるという効果が得られる。
【図面の簡単な説明】
【図１】本発明の実施の形態の一例であるコンクリート杭の遠心鋳造用型枠を説明するための図である。
【図２】左側に直部を断面を、右側に節部の断面を示した図である。
【図３】型枠本体を取り外した時の外胴部の断面を示す図である。
【図４】型枠本体の下型の合わせ面側から見た図である。
【図５】結合用型枠本体ブロックの一部を破断した図である。
【図６】左側に図５のＢ−Ｂ線断面を、右側に図５のＡ−Ａ線断面を示す図である。
【図７】図５のＣ矢視図である。
【図８】図２のＤ部詳細図である。
【図９】図３のＥ部詳細図である。
【図１０】従来の節付きコンクリート杭の遠心鋳造用型枠を説明するための図である。
【図１１】図１０の要部拡大断面図であり、左側に直部側断面を、右側に節部側断面を表した図である。
【図１２】下型の合わせ面側から見た図である。
【符号の説明】
１…遠心鋳造用型枠
２…直部
３…節部
４…型枠本体
４ａ…結合用型枠本体ブロック
５…外胴部
６…上型
７…下型
９…カバー部
【図１】
0004443666.tif 000002
【図２】
0004443666.tif 000003
【図３】
0004443666.tif 000004
【図４】
0004443666.tif 000005
【図５】
0004443666.tif 000006
【図６】
0004443666.tif 000007
【図７】
0004443666.tif 000008
【図８】
0004443666.tif 000009
【図９】
0004443666.tif 000010
【図１０】
0004443666.tif 000011
【図１１】
0004443666.tif 000012
【図１２】
0004443666.tif 000013